(57)【要約】【課題】ストラップ巻取り器において、ストラップ巻取り時の使い勝手が良く、かつ着用者墜落時の安全性を十分に確保できるようにする。【解決手段】フレーム１と、フレームに取付けられて回転軸２のまわりに回転可能なストラップ巻取りドラム３と、ストラップ出入口４を備える。ストラップ巻取りドラムは常時ストラップ巻取り方向に弾性付勢される。ストラップ巻取りドラムにラチェット歯車６、７が設けられる。ストラップ出入口近傍にストッパー８が設けられる。ストッパー８は、ストラップ巻取り方向に回転するラチェット歯６ａ、７ａに係合してその回転を阻止する作動位置と、ラチェット歯車の回転軌道から待避する非作動位置をとる。ストッパーは、バネ１１によって常時非作動位置に向けて付勢される。非作動位置にあるストッパーは、ストラップ出入口から一定の角度範囲でのびるストラップに押圧され、バネによる弾性付勢力に抗して作動位置をとる。【選択図】図３
0003108406.tif 000002
【実用新案登録請求の範囲】
【請求項１】
先端にフックを有するストラップを備えた高所作業用安全ベルトのストラップ巻取り器であって、
間隔をあけて対置された一対の側板、および前記一対の側板の両側部の少なくとも一方を互いに連結する連結部材からなる、実質上ロ字状またはコ字状断面を有するフレームと、
前記フレームの内側空間内に配置され、前記一対の側板の間に取付けられて回転軸のまわりに回転可能とされたストラップ巻取りドラムと、
前記フレームに設けられ、前記ストラップ巻取りドラムの外周面に対向して配置されたストラップ出入口と、を備え、前記ストラップ出入口は、前記ストラップ出入口から引き出されたストラップの内側に位置する内側端縁、および外側に位置する外側端縁を有しており、さらに、
前記ストラップ巻取りドラムの回転軸に嵌め込まれ、一端が前記回転軸に、他端が前記フレームに固定されて、前記ストラップ巻取りドラムを常時ストラップ巻取り方向に弾性付勢する渦巻きバネと、
前記ストラップ巻取りドラムの少なくとも一方の端面に設けられたラチェット歯車と、
前記フレームの内側空間における前記ストラップ出入口の近傍に設けられ、前記ラチェット歯車の回転軌道内に進入して、ストラップ巻取り方向に回転する前記ストラップ巻取りドラムのラチェット歯に係合してその回転を阻止する作動位置と、前記ラチェット歯車の回転軌道から待避する非作動位置とをとるストッパーと、
前記ストッパーおよび前記フレームの間に配置され、前記ストッパーを常時非作動位置に向かって弾性付勢するバネと、
高所作業用安全ベルトの胴ベルトに連結するための連結金具と、を備え、
前記非作動位置にある前記ストッパーは、前記ストラップ出入口から一定の角度範囲でのびるストラップに押圧されることによって、前記バネによる弾性付勢力に抗して前記作動位置をとるようになっていることを特徴とするストラップ巻取り器。
【請求項２】
前記ストッパーは、実質上Ｌ字形に折り曲げられた板状部材からなり、前記ストラップ出入口の前記内側端縁側において、前記フレームの一対の側板の間にストラップ引出し方向に開いた状態で取付けられて前記板状部材の幅方向にのびる支軸のまわりに揺動可能とされていて、前記支軸から前記フレームの内側空間内にのびる係合爪、および前記支軸から前記ストラップ出入口を通って外向きにのびる操作部を有し、前記係合爪および前記フレームの間に前記バネが配置され、前記ストッパーは、常時、前記係合爪が前記ラチェット歯車の回転軌道から待避する前記非作動位置をとるようになっており、前記ストラップ出入口から一定の角度範囲でのびるストラップによって前記ストッパーの操作部が押されることにより、前記ストッパーが前記バネの弾性付勢力に抗して前記支軸のまわりに揺動し、前記係合爪が前記ラチェット歯車の回転軌道内に進入して、その先端がストラップ巻取り方向に回転する前記ストラップ巻取りドラムのラチェット歯に係合する前記作動位置をとるようになっていることを特徴とする請求項１に記載のストラップ巻取り器。
【請求項３】
前記作動位置にある前記ストッパーの操作部が前記高所作業用安全ベルトの装着者の手の指で押圧されることにより、前記ストッパーの係合爪と前記ラチェット歯車との係合が解除され、前記ストッパーが前記非作動位置をとり得るようになっていることを特徴とする請求項２に記載のストラップ巻取り器。
【請求項４】
前記ラチェット歯車は、前記ストラップ巻取りドラムの少なくとも一方の端面の外周に設けられていることを特徴とする請求項１〜請求項３のいずれかに記載のストラップ巻取り器。
【考案の詳細な説明】
【技術分野】
【０００１】
本考案は、先端にフックを有するストラップを備えた高所作業用安全ベルトのストラップ巻取り器の改良に関するものである。
【背景技術】
【０００２】
従来の高所作業用安全ベルトは、命綱として、先端にフックを有するストラップを備えており、胴ベルトにストラップ巻取り器が装着されている。このストラップ巻取り器は、例えば、ストラップ出入口を備えたケーシング内にストラップ巻取りドラムを収容したものからなる巻取り器本体を、実質上コ字状断面を有するフレームの内側空間内に支持、固定し、巻取り器本体およびフレームの一体構造内に、ストラップ巻取りドラムをストラップ巻取り方向に弾性付勢する渦巻きバネを配置したものから構成されている。
【０００３】
さらに、ストラップ巻取りドラムのストラップ引出し方向への回転は許容するが、ストラップ巻取り方向への回転を阻止する巻取り停止止モードと、ストラップ巻取りドラムの両方向への回転を許容する自動巻取りモードの２つのモードにおいて選択的に動作する巻取りドラム回転制御機構が備えられ、現場での作業中に、ストラップを任意の長さ引き出した状態でストラップの巻取りを停止させることができるようになっている。この場合、巻取りドラム回転制御機構を巻取り停止モードから自動巻取りモードに切り替えてストラップを巻き取るには、ストラップ巻取り器に備えられたスイッチ等を操作する必要があり、作業現場では使い勝手が悪いという問題があった。
【０００４】
また、高所作業用安全ベルトの着用者が万一墜落した場合に、ストラップの引出し速度に応じてストラップの引出しを停止させて着用者の安全を確保する緊急ロック機構が備えられたストラップ巻取り器においては、墜落時の落下距離を最短にするために、上述のような巻取りドラム回転制御機構を備えずに、ストラップ巻取り器から引き出されたストラップが弛まないようにすることが好ましい。ところが、ストラップが常に緊張状態にあると、現場での作業の邪魔になる場合があり、巻取りドラム回転制御機構が備えられたストラップ巻取り器が使用されている。しかし、ストラップ巻取り器に巻取りドラム回転制御機構を備えると、緊急ロック機構を確実かつ有効に作動させることができず、安全性に問題の生じる場合があった。
【考案の開示】
【考案が解決しようとする課題】
【０００５】
したがって、本考案の課題は、従来の巻取りドラム回転制御機構を改良し、ストラップ巻取り時の使い勝手が良く、かつ着用者墜落時の安全性を十分に確保することができるようにすることにある。
【課題を解決するための手段】
【０００６】
上記課題を解決するため、本考案は、先端にフックを有するストラップを備えた高所作業用安全ベルトのストラップ巻取り器であって、間隔をあけて対置された一対の側板、および前記一対の側板の両側部の少なくとも一方を互いに連結する連結部材からなる、実質上ロ字状またはコ字状断面を有するフレームと、前記フレームの内側空間内に配置され、前記一対の側板の間に取付けられて回転軸のまわりに回転可能とされたストラップ巻取りドラムと、前記フレームに設けられ、前記ストラップ巻取りドラムの外周面に対向して配置されたストラップ出入口と、を備え、前記ストラップ出入口は、前記ストラップ出入口から引き出されたストラップの内側に位置する内側端縁、および外側に位置する外側端縁を有しており、さらに、前記ストラップ巻取りドラムの回転軸に嵌め込まれ、一端が前記回転軸に、他端が前記フレームに固定されて、前記ストラップ巻取りドラムを常時ストラップ巻取り方向に弾性付勢する渦巻きバネと、前記ストラップ巻取りドラムの少なくとも一方の端面に設けられたラチェット歯車と、前記フレームの内側空間における前記ストラップ出入口の近傍に設けられ、前記ラチェット歯車の回転軌道内に進入して、ストラップ巻取り方向に回転する前記ストラップ巻取りドラムのラチェット歯に係合してその回転を阻止する作動位置と、前記ラチェット歯車の回転軌道から待避する非作動位置とをとるストッパーと、前記ストッパーおよび前記フレームの間に配置され、前記ストッパーを常時非作動位置に向かって弾性付勢するバネと、高所作業用安全ベルトの胴ベルトに連結するための連結金具と、を備え、前記非作動位置にある前記ストッパーは、前記ストラップ出入口から一定の角度範囲でのびるストラップに押圧されることによって、前記バネによる弾性付勢力に抗して前記作動位置をとるようになっていることを特徴とするストラップ巻取り器を構成したものである。
【０００７】
上記構成において、好ましくは、前記ストッパーは、実質上Ｌ字形に折り曲げられた板状部材からなり、前記ストラップ出入口の前記内側端縁側において、前記フレームの一対の側板の間にストラップ引出し方向に開いた状態で取付けられて前記板状部材の幅方向にのびる支軸のまわりに揺動可能とされていて、前記支軸から前記フレームの内側空間内にのびる係合爪、および前記支軸から前記ストラップ出入口を通って外向きにのびる操作部を有し、前記係合爪および前記フレームの間に前記バネが配置され、前記ストッパーは、常時、前記係合爪が前記ラチェット歯車の回転軌道から待避する前記非作動位置をとるようになっており、前記ストラップ出入口から一定の角度範囲でのびるストラップによって前記ストッパーの操作部が押されることにより、前記ストッパーが前記バネの弾性付勢力に抗して前記支軸のまわりに揺動し、前記係合爪が前記ラチェット歯車の回転軌道内に進入して、その先端がストラップ巻取り方向に回転する前記ストラップ巻取りドラムのラチェット歯に係合する前記作動位置をとるようになっている。
また、好ましくは、前記作動位置にある前記ストッパーの操作部が前記高所作業用安全ベルトの装着者の手の指で押圧されることにより、前記ストッパーの係合爪と前記ラチェット歯車との係合が解除され、前記ストッパーが前記非作動位置をとり得るようになっている。
さらに好ましくは、前記ラチェット歯車は、前記ストラップ巻取りドラムの少なくとも一方の端面の外周に設けられている。
【考案の効果】
【０００８】
本考案によれば、ストラップ出入口からのびるストラップの角度を変えるだけで、ストラップ巻取り器の動作モードを、ストラップを任意の長さ引き出して巻取りを停止する巻取り停止モードと、引き出したストラップを常に緊張させておく自動巻取りモードに簡単に切り替えることが可能となる。また、巻取り停止モードにおいて一旦引き出されたストラップを巻取る際にも、ストラップの引出し方向を変えるだけで簡単に自動巻取りモードに切り替え、ストラップを巻取ることができる。
さらには、従来のストラップ巻取り器においては、万一巻取り停止モードのまま胴ベルトより下方向にストラップを引出した状態で装着者が墜落した場合、墜落距離が長くなるが、本考案によれば、胴ベルより下方向にストラップを引出したときには、常時、ストッパーが非作動位置にあって、自動巻取りモードにあるようにすることで、緊急ロック機構の効果を十分に発揮させることができる。
こうして、本発明によれば、ストラップ巻取り時の使い勝手が良く、かつ着用者墜落時の安全性を十分に確保することができるストラップ巻取り器を提供することができる。
【考案を実施するための最良の形態】
【０００９】
以下、添付図面を参照して本考案の好ましい実施例について説明する。図１は、本考案の１実施例によるストラップ巻取り器の側断面図であり、（Ａ）〜（Ｂ）は、ストッパーが非作動位置から作動位置に移動せしめられるときの状態を、（Ｃ）〜（Ｄ）は、ストッパーが作動位置から非作動位置に移動せしめられるときの状態を説明したものである。図２は、図１に類似の側断面図であり、ストッパーが非作動位置にあるときの状態を説明したものである。また、図３は、図１のストラップ巻取り器の主要部の構成を示した斜視図であり、（Ａ）はストッパーが非作動位置にある状態を、（Ｂ）はストッパーが作動位置にある状態を説明したものである。
【００１０】
図１〜図３を参照して、本考案によるストラップ巻取り器は、間隔をあけて対置された一対の側板１ａ、１ｂ、および一対の側板１ａ、１ｂの両側部の一方を互いに連結する連結部材１ｃからなる、実質上コ字状断面を有するフレーム１と、フレーム１の内側空間内に配置され、一対の側板１ａ、１ｂの間に取付けられて回転軸２のまわりに回転可能とされたストラップ巻取りドラム３と、フレーム１に設けられ、ストラップ巻取りドラム３の外周面に対向して配置されたストラップ出入口４を備えている。ストラップ巻取りドラム３には、先端にフック（図示はされない）を有するストラップ１０が巻装され、引出しおよび巻取り可能になっている。
【００１１】
この場合、フレーム１における連結部材１ｃに対向する開口部には、一対の側板１ａ、１ｂの間に一対の水平な棒体５ａ、５ｂが上下に互いに間隔をあけて配置され、側板１ａ、１ｂに固定される。そして、これらの一対の棒体５ａ、５ｂおよび一対の側板１ａ、１ｂの端縁で囲まれた開口にストラップ出入口４が設けられる。ストラップ出入口４は、これから引き出されたストラップ１０の内側に位置する内側端縁（上側の棒体５ａの周面）、および外側に位置する外側端縁（下側の棒体５ｂの周面）を有している。
【００１２】
さらに、図示されないが、ストラップ巻取りドラム３の回転軸２には渦巻きバネが嵌め込まれ、その一端が回転軸２に、他端がフレーム１に固定されて、ストラップ巻取りドラム３を常時ストラップ巻取り方向に弾性付勢するようになっている。
また、ストラップ巻取りドラム３の両端はフランジ状に形成され、フランジはラチェット歯車６、７として形成されている。一対のラチェット歯車６、７は、それぞれ、ストラップ巻取りドラム３がストラップ巻取り方向に回転する際に、後述するストッパーに係合し得るラチェット歯６ａ、７ａを備えている。
【００１３】
フレーム１の内側空間におけるストラップ出入口４の近傍にはストッパー８が設けられる。ストッパー８は、ラチェット歯車６、７の回転軌道内に進入して、ストラップ巻取り方向に回転するストラップ巻取りドラム３のラチェット歯６ａ、７ａに係合してその回転を阻止する作動位置と、ラチェット歯車６、７の回転軌道から待避する非作動位置をとるようになっている。
【００１４】
ストッパー８は、実質上Ｌ字形に折り曲げられた板状部材からなり、ストラップ出入口４の内側端縁側（上側の棒体５ａ側）において、フレーム１の一対の側板１ａ、１ｂの間にストラップ引出し方向に開いた状態で取付けられて、板状部材の幅方向にのびる支軸９のまわりに揺動可能とされている。ストッパー８は、支軸９からフレーム１の内側空間内にのびる係合爪８ａ、および支軸９からストラップ出入口４を通って外向きにのびる操作部８ｂを有している。
【００１５】
ストッパー８の係合爪８ａ、およびフレーム１に取付けられた上側の棒体５ａの間には弦巻バネ１１が取付けられ、ストッパー８は、常時、係合爪８ａがチェット歯車６、７の回転軌道から待避する非作動位置をとるようになっている。
そして、ストラップ出入口４から一定の角度範囲でのびるストラップ１０によってストッパー８の操作部８ｂが押されることにより、ストッパー８が弦巻バネ１１の弾性付勢力に抗して支軸９のまわりに揺動して、係合爪８ａの先端がストラップ巻取り方向に回転するストラップ巻取りドラム３のラチェット歯６ａ、７ａに係合する作動位置をとるようになっている。
【００１６】
また、フレーム１には、ストラップ巻取り器を高所作業用安全ベルトの胴ベルトに連結するための連結金具１２が備えられる。
この実施例では、ストラップ巻取り器は、ストラップ出入口４が水平方向を向くようにして、高所作業用安全ベルトの胴ベルトに連結される。
【００１７】
この実施例によるストラップ巻取り器は次のように作動する。まず最初、図２を参照して、ストラップ１０が、ストラップ出入口４から水平または下向きにのびているときは、ストッパー８は、常時非作動位置にあり、ストラップ巻取りドラムおよびラチェット歯車７は、ストラップの引出し方向および巻取り方向のいずれにも自由に回転し得る。それによって、ストラップ巻取り器から引き出されたストラップ１０は常に張られた状態にある。
【００１８】
次に、図１（Ａ）を参照して、ストラップ１０が、ストラップ出入口４から上向きにのびるようにすると、ストッパー８の操作部８ｂがストラップ１０によって押され、ストッパー８が弦巻バネ１１の弾性付勢力に抗して支軸９のまわりに図面の時計回りに揺動し、図１（Ｂ）に示されるように、係合爪８ａの先端がストラップ巻取り方向（矢印Ｙ方向）に回転するストラップ巻取りドラムのラチェット歯７ａに係合する作動位置をとり、ストラップ巻取りドラムの回転が阻止される。この場合、図１（Ｃ）からわかるように、ストラップ巻取りドラムは、ストラップ引出し方向（矢印Ｘ方向）へは自由に回転し得る。それによって、ストラップ１０をストラップ巻取り器から任意の長さ引き出した状態に維持することができる。
【００１９】
また、引き出した状態に維持されたストラップ１０を巻取る場合には、図１（Ｃ）に示されるように、ストラップ１０を少し引き出すと、ストッパー８の係合爪８ａとラチェット歯７ａとの係合が解除される。その状態で、ストラップ１０がストラップ出入口４から水平または下向きにのびるようにすると、ストッパー８が弦巻バネ１１の弾性付勢力によって支軸９のまわりに反時計回りに揺動し、図１（Ｄ）に示されるように、係合爪８がラチェット歯車７の回転軌道から待避する非作動位置をとる。それによって、ストラップ巻取りドラムが、ストラップ巻取り方向（矢印Ｙ方向）に回転し、引き出されていたストラップ１０がストラップ巻取り器内に収納される。
【００２０】
なお、図４（Ａ）に示されるように、ストッパー８が作動位置にあってストラップ１０の巻取りがロックされた状態から、何らかの理由によって、ストラップ１０を引き出すことができず、よって、ストッパー８を非作動位置に移動させることができない場合には、図４（Ｂ）に示されるように、高所作業用安全ベルトの着用者に指１３で、作動位置にあるストッパー８の操作部８ｂが押圧されることにより、ストッパー８が支軸９のまわりに反時計回りに揺動せしめられ、係合爪８がラチェット歯車７の回転軌道から待避する非作動位置をとる。それによって、ストラップ巻取りドラムが、ストラップ巻取り方向（矢印Ｙ方向）に回転し、引き出されていたストラップ１０がストラップ巻取り器内に収納される。
【図面の簡単な説明】
【００２１】
【図１】本考案の１実施例によるストラップ巻取り器の側断面図であり、（Ａ）〜（Ｂ）は、ストッパーが非作動位置から作動位置に移動せしめられるときの状態を、（Ｃ）〜（Ｄ）は、ストッパーが作動位置から非作動位置に移動せしめられるときの状態を説明したものである。
【図２】図１に類似の側断面図であり、ストッパーが非作動位置にあるときの状態を説明したものである。
【図３】図１のストラップ巻取り器の主要部の構成を示した斜視図であり、（Ａ）はストッパーが非作動位置にある状態を、（Ｂ）はストッパーが作動位置にある状態を説明したものである。
【図４】図１に類似の側断面図であり、作動位置にあるストッパーを装着者の手の指で非作動位置に移動させる様子を説明したものである。
【符号の説明】
【００２２】
１  フレーム
１ａ、１ｂ  側板
１ｃ  連結板
２  回転軸
３  ストラップ巻取りドラム
４  ストラップ出入口
５ａ、５ｂ  棒体
６、７  ラチェット歯車
６ａ、７ａ  ラチェット歯
８  ストッパー
８ａ  係合爪
８ｂ  操作部
９  支軸
１０  ストラップ
１１  弦巻バネ
１２  連結金具
【図１】
0003108406.tif 000003
【図２】
0003108406.tif 000004
【図３】
0003108406.tif 000005
【図４】
0003108406.tif 000006